(57)【要約】【課題】支持力をより大きくすることができる螺旋杭を提供する。【解決手段】螺旋杭Ａにおいて、先端が略円錐尖端形状で、内部に空洞部を有する杭本体１０と、杭本体１０の先端側の外周に螺旋状に設けられた螺旋板１３と、杭本体１０の側面に設けられており、空洞部につながる透孔１４と、セメントミルクを空洞部に注入するための開口部１１とを備える第一杭１と、第一杭１の側面から突出可能に配置される第二杭２とを備えた。第二杭２にも、第一杭１の空洞部につながる透孔２４が設けられている。螺旋杭Ａが埋設され、空洞部１２に注入されたセメントミルクが透孔１４および透孔２４から地中に吐出される。これにより、土壌が固結されて、第一杭１および第二杭２と一体となった固結塊が形成される。固結塊は、第一杭１の側面側に広がった形に形成されるので、螺旋杭Ａの支持力をより大きくすることができる。【選択図】図１
2015113563.tif 000002
【特許請求の範囲】
【請求項１】
先端が略円錐尖端形状で、内部に空洞部を有する杭本体と、
前記杭本体の先端側の外周に螺旋状に設けられた螺旋板と、
前記杭本体の側面に設けられており、前記空洞部につながる透孔と、
土壌を固結させるための流動体を、前記空洞部に注入するための注入部と、
を備える中心杭と、
前記中心杭の側面から突出可能に配置される突出部材と、
を備えており、
前記突出部材にも、前記空洞部につながる透孔が設けられている、
ことを特徴とする螺旋杭。
【請求項２】
前記突出部材は、
前記中心杭と同様の形状であり、
前記中心杭の後端に設けられた開口部から挿入されて、前記中心杭の側面に設けられた孔から、前記中心杭の先端側に向かって突出する、
請求項１に記載の螺旋杭。
【請求項３】
前記突出部材が複数設けられている、
請求項１または２に記載の螺旋杭。
【請求項４】
前記流動体は、セメントミルクである、
請求項１ないし３のいずれかに記載の螺旋杭。
【請求項５】
先端が略円錐尖端形状で内部に空洞部を有する杭本体と、前記杭本体の先端側の外周に螺旋状に設けられた螺旋板と、前記杭本体の側面に設けられており前記空洞部につながる透孔とを備える中心杭を、中心軸の周方向に回転させることで地中に埋設する第１の工程と、
前記空洞部につながる透孔が設けられている突出部材を、前記中心杭の側面に設けられた孔から突出させる第２の工程と、
土壌を固結させるための流動体を、前記空洞部に注入することで、前記各透孔から地中に吐出させる第３の工程と、
を備えていることを特徴とする埋設方法。
【請求項６】
前記突出部材は前記中心杭と同様の形状であり、
前記第２の工程は、
前記中心杭の後端に設けられた開口部から前記突出部材を挿入する第４の工程と、
前記突出部材を中心軸の周方向に回転させることで、前記中心杭の側面に設けられた孔から前記中心杭の先端側に向かって、地中に埋設させる第５の工程と、
を備えている、
請求項５に記載の埋設方法。
【発明の詳細な説明】
【技術分野】
【０００１】
本発明は、螺旋杭および埋設方法に関する。
【背景技術】
【０００２】
近年、太陽光発電システムが各地に建設されている。従来は、太陽電池パネルを設置する架台を固定するために、地面を掘削してコンクリートを打設することで基礎を作っていた。これに代わり、作業を容易にし、工期を短縮するために、螺旋杭（スパイラル杭）を地中に直接打ち込み、螺旋杭に架台を固定する方法がある（特許文献１参照）。
【０００３】
また、螺旋杭の側面の透孔から土中にモルタルを圧出し、モルタル塊を形成することで埋設支持力を増強する方法が提案されている（特許文献２参照）。
【先行技術文献】
【特許文献】
【０００４】
【特許文献１】特開２００６‐１１８３３６号公報
【特許文献２】特開平１−２３０８１０号公報
【発明の概要】
【発明が解決しようとする課題】
【０００５】
太陽電池パネルは、入射光に対して受光面をできるだけ垂直にするように設置するのが望ましいので、水平に対して３０°程度傾斜させて設置することが一般的になっている。この傾斜角度によって、横風が太陽電池パネルを鉛直上方向に持ち上げるように作用する。強い横風が吹くと大きな力が鉛直上方向に働き、螺旋杭の支持力を超えて、螺旋杭が抜けてしまうことが問題になっている。螺旋杭の側面にモルタル塊を形成するようにした場合、埋設支持力は増強されるが、モルタル塊は螺旋杭の周囲付近に形成されるだけなので、鉛直上方向に働く力に弱い。
【０００６】
本発明は上記した事情のもとで考え出されたものであって、支持力をより大きくすることができる螺旋杭を提供することをその目的としている。
【課題を解決するための手段】
【０００７】
上記課題を解決するため、本発明では、次の技術的手段を講じている。
【０００８】
本発明の第１の側面によって提供される螺旋杭は、先端が略円錐尖端形状で、内部に空洞部を有する杭本体と、前記杭本体の先端側の外周に螺旋状に設けられた螺旋板と、前記杭本体の側面に設けられており、前記空洞部につながる透孔と、土壌を固結させるための流動体を、前記空洞部に注入するための注入部とを備える中心杭と、前記中心杭の側面から突出可能に配置される突出部材とを備えており、前記突出部材にも、前記空洞部につながる透孔が設けられていることを特徴とする。
【０００９】
本発明の好ましい実施の形態において、前記突出部材は、前記中心杭と同様の形状であり、前記中心杭の後端に設けられた開口部から挿入されて、前記中心杭の側面に設けられた孔から、前記中心杭の先端側に向かって突出する。
【００１０】
本発明の好ましい実施の形態において、前記突出部材が複数設けられている。
【００１１】
本発明の好ましい実施の形態において、前記流動体は、セメントミルクである。
【００１２】
本発明の第２の側面によって提供される埋設方法は、先端が略円錐尖端形状で内部に空洞部を有する杭本体と、前記杭本体の先端側の外周に螺旋状に設けられた螺旋板と、前記杭本体の側面に設けられており前記空洞部につながる透孔とを備える中心杭を、中心軸の周方向に回転させることで地中に埋設する第１の工程と、前記空洞部につながる透孔が設けられている突出部材を、前記中心杭の側面に設けられた孔から突出させる第２の工程と、土壌を固結させるための流動体を、前記空洞部に注入することで、前記各透孔から地中に吐出させる第３の工程とを備えていることを特徴とする。
【００１３】
本発明の好ましい実施の形態において、前記突出部材は前記中心杭と同様の形状であり、前記第２の工程は、前記中心杭の後端に設けられた開口部から前記突出部材を挿入する第４の工程と、前記突出部材を中心軸の周方向に回転させることで、前記中心杭の側面に設けられた孔から前記中心杭の先端側に向かって、地中に埋設させる第５の工程とを備えている。
【発明の効果】
【００１４】
本発明によると、本発明に係る螺旋杭が埋設され、土壌を固結させるための流動体が空洞部に注入されると、当該流動体が中心杭の透孔から地中に吐出される。地中に吐出された流動体は、土壌を固結させて、中心杭と一体となった固結塊を形成する。また、当該流動体は、中心杭の側面から突出された突出部材の透孔からも地中に吐出される。したがって、形成される固結塊は、中心杭の側面方向に広がったものになる。これにより、螺旋杭の支持力をより大きくすることができる。
【００１５】
本発明のその他の特徴および利点は、添付図面を参照して以下に行う詳細な説明によって、より明らかとなろう。
【図面の簡単な説明】
【００１６】
【図１】第１実施形態に係る螺旋杭を説明するための外観斜視図である。
【図２】第１実施形態に係る第一杭および第二杭の断面図である。
【図３】第１実施形態に係る螺旋杭の埋設方法を説明するための図である。
【図４】第１実施形態に係る螺旋杭の別の実施例を説明するための断面図である。
【図５】第１実施形態に係る螺旋杭の別の実施例を説明するための断面図である。
【図６】第２実施形態に係る螺旋杭を説明するための断面図である。
【図７】第２実施形態に係る螺旋杭の埋設方法を説明するための図である。
【図８】第２実施形態に係る螺旋杭の別の実施例を説明するための断面図である。
【発明を実施するための形態】
【００１７】
以下、本発明の実施の形態を、図面を参照して具体的に説明する。
【００１８】
図１は、第１実施形態に係る螺旋杭Ａを説明するための外観斜視図である。螺旋杭Ａは、地中に埋設されて、例えば太陽電池パネルの架台などを固定するためのものである。螺旋杭Ａは、第一杭１、第二杭２、および、ボルト３を備えている。
【００１９】
図２（ａ）は、第一杭１を説明するためのものであり、図１に示すＩＩ−ＩＩ線に沿う断面図である。第一杭１は、杭本体１０、開口部１１、空洞部１２、螺旋板１３、透孔１４、第二杭用孔１５、および、ボルト用孔１６を備えている。第一杭１は、本発明に係る「中心杭」の一例である。
【００２０】
杭本体１０は、第一杭１の本体であり、先端が円錐尖端形状で、後端に開口部１１が設けられた筒形状をなす。杭本体１０は、鋼管の一端を円錐状に絞って閉止することで形成される。なお、杭本体１０の製法は限定されず、鋼管の一端に円錐形状の部材を固着するようにして形成してもよいし、板材を円錐形状に溶接して形成してもよい。杭本体１０の内部には、開口部１１につながる空洞部１２が設けられている。
【００２１】
螺旋板１３は、杭本体１０の先端側の外周に螺旋状に設けられた鋼板であり、杭本体１０にねじ山を形成している（図１参照）。これにより、第一杭１の先端を地中に向けて、第一杭１の中心軸の周方向（図１の場合、時計回り）に回転させることで、第一杭１が先端方向に進んで、地中に埋設される。本実施形態では、杭本体１０の先端から約半分の長さの位置まで、螺旋板１３を設けている。なお、螺旋板１３を設ける位置は限定されず、より先端に近い位置までだけ設けるようにしてもよいし、第二杭用孔１５の手前まで設けるようにしてもよい。
【００２２】
なお、杭本体１０および螺旋板１３の材質は限定されず、ステンレスやアルミニウムであってもよい。また、金属に限定されず、プラスチックやセラミックであってもよい。
【００２３】
透孔１４は、杭本体１０の側面に設けられた複数の孔であり、空洞部１２につながっている。透孔１４は、螺旋板１３に沿って等間隔に配置されている（図１参照）。なお、透孔１４の数および配置される位置は限定されない。例えば、杭本体１０の先端付近にも配置するようにしてもよいし、第二杭用孔１５の手前まで配置するようにしてもよい。また、透孔１４を均等に配置する必要もなく、杭本体１０の先端側により密集させるように配置してもよい。
【００２４】
第二杭用孔１５は、第二杭２を突出させるための孔であり、空洞部１２につながっている。第二杭用孔１５は、杭本体１０の側面の後端部寄りに２つ、対向するように配置されている。第二杭用孔１５は、用いられる第二杭２の数に合わせて設けられる。本実施形態では、２つの第二杭２を用いるため、第二杭用孔１５が２つ設けられている。なお、第二杭用孔１５の配置される位置は限定されない。例えば、杭本体１０のより先端側に配置するようにしてもよいし、後端側に配置するようにしてもよい。また、設ける数に応じて配置位置を適宜決定すればよい。
【００２５】
ボルト用孔１６は、ボルト３を通すための孔であり、空洞部１２につながっている。ボルト用孔１６は、杭本体１０の側面の後端部付近に等間隔に４つ配置されている。ボルト用孔１６は、用いられるボルト３の数に合わせて設けられる。本実施形態では、４つのボルト３を用いるため、ボルト用孔１６が４つ設けられている。なお、ボルト用孔１６の配置される位置は限定されないが、第一杭１を地中に埋設したときに地上に出る部分に配置する必要がある。
【００２６】
図２（ｂ）は、第二杭２を説明するためのものであり、同図(ａ)と同様の断面図である。第二杭２は、第一杭１を地中に埋設した後、第一杭の開口部１１から挿入されて、第二杭用孔１５から第一杭１の先端方向に向けて、地中に埋設されるものである。第二杭２は、第一杭１を小さくしたものであり、杭本体２０、開口部２１、空洞部２２、螺旋板２３、および、透孔２４を備えている。第二杭２は、本発明に係る「突出部材」の一例である。
【００２７】
杭本体２０は、第二杭２の本体であり、先端が円錐尖端形状で、後端に開口部２１が設けられた筒形状をなす。杭本体２０は、鋼管の一端を円錐状に絞って閉止することで形成される。なお、杭本体２０の製法は限定されない。杭本体２０の内部には、開口部２１につながる空洞部２２が設けられている。
【００２８】
螺旋板２３は、杭本体２０の先端側の外周に螺旋状に設けられた鋼板であり、杭本体２０にねじ山を形成している（図１参照）。これにより、第二杭２の先端を第一杭１の第二杭用孔１５から地中に向けて、第二杭２の中心軸の周方向（図１の場合、時計回り）に回転させることで、第二杭２が先端方向に進んで、地中に埋設される。本実施形態では、杭本体２０の先端から約半分の長さの位置まで、螺旋板２３を設けている。なお、螺旋板２３を設ける位置は限定されない。また、杭本体２０および螺旋板２３の材質は限定されない。
【００２９】
透孔２４は、杭本体２０の側面に設けられた複数の孔であり、空洞部２２につながっている。透孔２４は、螺旋板２３に沿って等間隔に配置されている（図１参照）。なお、透孔２４の数および配置される位置は限定されない。第二杭２を第一杭１の第二杭用孔１５から突出させたとき(図１参照)、第二杭２の空洞部２２が第一杭１の空洞部１２とつながるので、各透孔２４も第一杭１の空洞部１２とつながる。
【００３０】
ボルト３は、第一杭１の開口部１１から挿入された支柱Ｂ（図３(ｄ)参照）を固定するものである。本実施形態では、４つのボルト３を用いて支柱Ｂを固定する。なお、固定に用いるボルトの数はこれに限られない。
【００３１】
次に、図３を参照して、螺旋杭Ａの埋設方法を説明する。
【００３２】
図３（ａ）は、第一杭１を地中に埋設した状態を示している。第一杭１は、第二杭用孔１５の上（後端側）まで埋設されている。第一杭１は、先端部を地面に向けて、第一杭１の中心軸が地面に対して略垂直になるようにして、中心軸の周方向に回転させることで、地中に埋設される。第一杭１の埋設は、小型の杭打ち機によって行ってもよいし、杭打ち用の工具を用いて人力で行ってもよい。なお、螺旋杭Ａを建物の支柱を固定するために用いるのであれば、螺旋杭Ａの大きさも大きくなるので、この場合は、第一杭１の埋設を建設用の杭打ち機で行うようにすればよい。なお、第一杭１は、必ずしも地面に対して略垂直に埋設する必要はない。例えば、地面が傾斜している場合は、地面に対して傾斜させて埋設してもよい。
【００３３】
図３（ｂ）は、一方の第二杭２（図の左側）を地中に埋設し、他方の第二杭２（図の右側）の先端を地中に突き刺した状態を示している。各第二杭２は、第一杭１の開口部１１から挿入されて、第二杭用孔１５から第一杭１の先端方向に向けて、地中に埋設される。第二杭２は、先端部を第二杭用孔１５に露出している地面に向けて、第二杭２の中心軸の周方向に回転させることで、地中に埋設される。第二杭２の埋設も、小型の杭打ち機によって行ってもよいし、杭打ち用の工具を用いて人力で行ってもよい。また、建設用の杭打ち機で行ってもよい。
【００３４】
図３（ｃ）は、両方の第二杭２が地中に埋設され、第一杭１の開口部１１から空洞部１２にセメントミルク４を注入している状態を示している。セメントミルク４は、セメントと水とを練り混ぜてできたミルク状のものである。セメントミルク４は、開口部１１に取り付けたパイプを介して、図示しない液体圧送装置によって加圧されて注入される。なお、本実施形態では、セメントミルクを注入しているが、これに限られない。地中に吐出されて、土壌を固結させるものであればよく、例えば、モルタルや水ガラス、その他の固結剤などでもよい。加圧して土壌に浸透させるので、粘度の低い液体が望ましく、セメントミルクが適している。図３（ｃ）では、空洞部１２に注入されたセメントミルク４が、第一杭１の先端側の透孔１４から地中に吐出されている。
【００３５】
図３（ｄ）は、適量のセメントミルク４を注入した後、注入を停止し、開口部１１から支柱Ｂを挿入してボルト３で固定した状態を示している。図３（ｄ）では、空洞部１２に注入されたセメントミルク４が、第一杭１の透孔１４および第二杭２の透孔２４から地中に吐出されて土壌を固結させ、第一杭１および第二杭２と一体となった固結塊４’を形成している。
【００３６】
本実施形態において、螺旋杭Ａが埋設され、セメントミルク４が空洞部１２に注入されると、セメントミルク４が第一杭１の透孔１４から地中に吐出される。また、セメントミルク４は、空洞部１２から第二杭２の空洞部２２に注入され、透孔２４からも地中に吐出される。地中に吐出されたセメントミルク４は、土壌を固結させて、第一杭１および第二杭２と一体となった固結塊４’を形成する。第二杭２は、第一杭１の側面に設けられた第二杭用孔１５から地中に突出するように埋設されている。したがって、固結塊４’は、第一杭１の側面側に広がった形に形成される。これにより、螺旋杭Ａの支持力を従来の螺旋杭より大きくすることができる。
【００３７】
螺旋杭Ａに太陽電池パネルの架台の支柱を固定した場合、固結塊４’によって螺旋杭Ａは、鉛直上方向に働く力に対する支持力が従来の螺旋杭より大きくなっているので、強い横風によって太陽電池パネルに鉛直上方向の大きな力が働いても、螺旋杭Ａが抜けてしまうことを抑制することができる。
【００３８】
また、螺旋杭Ａは、太陽電池パネルの架台以外のものを固定する場合にも有効である。固結塊４’によって螺旋杭Ａは、鉛直下方向に働く力に対する支持力も従来の螺旋杭より大きくなっているので、従来の螺旋杭より重いものを固定して支持することができる。また、固結塊４’によって螺旋杭Ａは、中心軸の傾斜方向や回転方向に働く力に対する支持力も従来の螺旋杭より大きくなっているので、例えば、衛星放送電波受信用のパラボラアンテナなど向きが変化しないようにすべきものの支柱を固定して支持する場合にも有効である。
【００３９】
固結塊４’は、内部に第二杭２を含んでおり、コンクリートに鉄筋を入れたのと同様の構造となっているので、引っ張り強度が強化され、乾燥や収縮により割れてしまうことを抑制される。また、セメントミルク４はアルカリ性なので、酸性の土壌を中和する。したがって、地中に埋設された螺旋杭Ａが酸化により錆びることを抑制することができる。
【００４０】
なお、本実施形態においては、２つの第二杭２を用いる場合について説明したが、これに限られない。用いる第二杭２の数は、１つでもよいし、３つ以上であってもよい。多く用いるほど、上記の効果をより大きくすることができる。
【００４１】
本実施形態においては、第一杭１の開口部１１から支柱Ｂを挿入してボルト３で固定する場合について説明したが、支柱Ｂを螺旋杭Ａに固定する方法はこれに限られない。例えば、第一杭１の後端部にフランジ１７を設けて、支柱Ｂのフランジとフランジ１７とを、ボルト３およびナット６で固定するようにしてもよい（図４参照）。
【００４２】
本実施形態においては、杭本体１０の全体にわたって空洞部１２が設けられている場合について説明したが、これに限られない。空洞部１２と透孔１４とがつながっていればよいので、空洞部１２を杭本体１０の第二杭用孔１５の下までとし、杭本体１０の内部に空洞部１２と透孔１４とを結ぶ通路を設けるようにしてもよい（図５(ａ)参照）。また、空洞部１２と透孔１４とをホースなどで結ぶようにしてもよい（図５(ｂ)参照）。
【００４３】
上記第１実施形態は、第一杭１と同様の形状をした第二杭２を用いる場合について説明したが、これに限られない。第二杭２に代えて、他の構造で第一杭１の側面から突出させるものを用いるようにしてもよい。
【００４４】
図６（ａ）は、第２実施形態に係る螺旋杭Ａ’を説明するための断面図である。図６（ａ）において、第１実施形態に係る螺旋杭Ａ(図２参照）と同一または類似の要素には、同一の符号を付している。
【００４５】
第２実施形態に係る螺旋杭Ａ’は、第二杭用孔１５および第二杭２に代えて、第一杭１に突出部材用孔１８および突出部材５を設けている点で、第１実施形態に係る螺旋杭Ａと異なる。
【００４６】
突出部材用孔１８は、突出部材５を突出させるための孔であり、空洞部１２につながっている。突出部材用孔１８は、杭本体１０の側面の先端部と後端部との中間付近に複数、等間隔で配置されている。突出部材用孔１８は、用いられる突出部材５の数に合わせて設けられる。本実施形態では、数十個の突出部材５を用いるため、突出部材用孔１８がその数だけ設けられている。なお、突出部材用孔１８の配置される位置は限定されない。ただし、杭本体１０の先端側になるほど設けられる突出部材５の中心軸方向の長さが短くなってしまうので、あまり先端側に設ける必要はない。配置位置は、設ける数に応じて適宜決定すればよい。
【００４７】
突出部材５は、第一杭１を地中に埋設した後、突出部材用孔１８から地中に突出されるものである。図６（ｂ）は、突出部材５を説明するための断面図である。突出部材５は、本体５０、開口部５１、空洞部５２、および、透孔５４を備えている。突出部材５は、本発明に係る「突出部材」の一例である。
【００４８】
本体５０は、突出部材５の本体であり、先端が円錐尖端形状で、後端に開口部５１が設けられた筒形状をなす。本体５０の後端には傾斜が設けられている。本体５０の中心軸方向の長さは、第一杭１のどの位置の突出部材用孔１８に配置されるかによって異なり、第一杭１の後端側に配置されるものほど長くなっている。本体５０は、細い鋼管の一端を円錐状に絞って閉止することで形成される。なお、本体５０の製法は限定されない。本体５０の内部には、開口部５１につながる空洞部５２が設けられている。
【００４９】
透孔５４は、本体５０の側面に設けられた複数の孔であり、空洞部５２につながっている。透孔５４の数は、第一杭１のどの位置の突出部材用孔１８に配置されるかによって異なり、第一杭１の後端側に配置されるものほど多くなっている。突出部材５の空洞部５２は第一杭１の空洞部１２とつながっており、各透孔５４も第一杭１の空洞部１２とつながっている。
【００５０】
各突出部材５は、第一杭１の各突出部材用孔１８に、先端部を外側に向け、それぞれ中心軸を合わせるようにして配置されている。各突出部材５は、中心軸方向に移動可能であり、先端が第一杭１の側面から突出しない状態で配置されている。
【００５１】
次に、図７を参照して、螺旋杭Ａ’の埋設方法を説明する。
【００５２】
図７（ａ）は、第一杭１を地中に埋設した状態を示している。第一杭１の埋設方法は、第１実施形態に係る螺旋杭Ａの第一杭１の埋設方法と同様である。図７（ａ）では、第一杭１の開口部１１からピンＣの先端を挿入しているところを示している。ピンＣは、図に示す矢印の方向に挿入される。
【００５３】
図７（ｂ）は、ピンＣを第一杭１の先端側まで挿入した状態を示している。各突出部材５は、後端をピンＣの側面に押されて、第一杭１の各突出部材用孔１８から外側に移動し、第一杭１の中心軸からほぼ垂直方向に向けて地中に突出した状態になっている。
【００５４】
図７（ｃ）は、ピンＣを引き抜き、第一杭１の開口部１１から空洞部１２にセメントミルク４を注入している状態を示している。図７（ｃ）では、空洞部１２に注入されたセメントミルク４が、第一杭１の透孔１４および突出部材５の透孔５４から地中に吐出されている。
【００５５】
図７（ｄ）は、適量のセメントミルク４を注入した後、注入を停止し、開口部１１から支柱Ｂを挿入してボルト３で固定した状態を示している。図７（ｄ）では、空洞部１２に注入されて透孔１４および透孔５４から地中に吐出されたセメントミルク４が土壌を固結させ、第一杭１および突出部材５と一体となった固結塊４’を形成している。
【００５６】
第２実施形態においても、固結塊４’が第一杭１の側面側に広がった形に形成されるので、螺旋杭Ａ’の支持力を従来の螺旋杭より大きくすることができる。したがって、第２実施形態においても、第１実施形態と同様の効果を奏することができる。
【００５７】
なお、第２実施形態においても、第１実施形態の実施例（図４参照）のように、他の方法で支柱Ｂを螺旋杭Ａ’に固定するようにしてもよい。
【００５８】
また、第２実施形態においては、突出部材５が第一杭１の中心軸に対してほぼ垂直方向に突出する場合について説明したが、これに限られない。例えば、図８に示すように、突出部材５が第一杭１の先端方向に向けて突出するようにしてもよい。この場合、突出部材５の中心軸方向の長さをより長くすることができる。
【００５９】
また、第２実施形態においては、第一杭１の開口部１１から挿入されたピンＣの側面で各突出部材５を押し出す場合について説明したが、これに限られない。例えば、突出部材用孔１８の内側と突出部材５の側面とにねじ溝を設けて、突出部材５を回転させることで地中に突出させるようにしてもよい。
【００６０】
本発明に係る螺旋杭および埋設方法は、上述した実施形態に限定されるものではない。本発明に係る螺旋杭および埋設方法の各部の具体的な構成は、種々に設計変更自在である。
【符号の説明】
【００６１】
Ａ，Ａ’  螺旋杭
１  第一杭（中心杭）
１０  杭本体
１１  開口部（注入部）
１２  空洞部
１３  螺旋板
１４  透孔
１５  第二杭用孔（孔）
１６  ボルト用孔
１７  フランジ
１８  突出部材用孔（孔）
２  第二杭（突出部材）
２０  杭本体
２１  開口部
２２  空洞部
２３  螺旋板
２４  透孔
３  ボルト
４  セメントミルク
４’固結塊
５  突出部材
５４  透孔
６  ナット
Ｂ  支柱
Ｃ  ピン
【図１】
2015113563.tif 000003
【図２】
2015113563.tif 000004
【図３】
2015113563.tif 000005
【図４】
2015113563.tif 000006
【図５】
2015113563.tif 000007
【図６】
2015113563.tif 000008
【図７】
2015113563.tif 000009
【図８】
2015113563.tif 000010